(57)【要約】【課題】各メーカーによって微妙に相異する嵌合筒の内径に適合すると共に、ウイッグ内筒には、より強力な固着力を付与することが可能な汎用性ある、ウイッグ固定装置を提供する。【解決手段】挿着支持部１１の縦溝１４内に掛支されたＬ字状フック４０を、ボルト螺合部１２に螺合された回動ボルト２０を右回転すると環状細径部２０ａが斜め上方に移動する（矢印Ｐ）に伴い、Ｌ字状フック４０の下端部４０ｅを押し上げ、Ｌ字状フック４０は、掛支ボルト５０を支点として傾動し、図２における二点鎖線で示すように、フック４０上端の尖鋭部４０ａは、縦溝１４の外方に突出（Ｐ１）する。【選択図】    図２
2007244547.tif 000002
【特許請求の範囲】
【請求項１】
美容・理容における整髪技術等を習得するために使用されるウイッグを固定するための固定装置であって、
裁頭円錐形状の挿着支持部と、ボルト螺合部と、該ボルト螺合部の下方に延設された頸部とからなる、取付杆と、
前記取付杆のボルト螺合部に螺着される回動ボルトと、
前記挿着支持部内に水平状に螺着される掛支ボルトと、
当該掛支ボルトを介して軸支される側面視略Ｌ字状フックと、
からなることを特徴とする、ウイッグ固定装置。
【請求項２】
前記取付杆には、挿着支持部の頂部からボルト螺合部にかけて横断面視コ字状縦溝を形成していることを特徴とする、請求項１に記載のウイッグ固定装置。
【請求項３】
前記取付杆のボルト螺合部が、半球状であることを特徴とする、請求項１〜請求項２の何れかに記載のウイッグ固定装置。
【請求項４】
前記取付杆のボルト螺合部には、雌ねじが下方から上方に傾斜して螺設されていることを特徴とする、請求項１〜請求項３の何れかに記載のウイッグ固定装置。
【請求項５】
前記ボルト螺合部における雌ねじの傾斜角度が、水平面に対して、約２５°〜３５°であることを特徴とする、請求項１〜請求項４の何れかに記載のウイッグ固定装置。
【請求項６】
前記回動ボルトの先端部には環状細径部が形成されると共に、後端部にはボルトの軸径より大とした握持部が形成されていることを特徴とする、請求項１〜請求項５の何れかに記載のウイッグ固定装置。
【請求項７】
前記Ｌ字状フックの上端部には尖鋭部を形成し、前記掛支ボルト装着部位から下端部両側はテーパー状とされていることを特徴とする、請求項１〜請求項６の何れかに記載のウイッグ固定装置。
【請求項８】
前記Ｌ字状フック上端の尖鋭部が嘴状であることを特徴とする、請求項１〜請求項７の何れかに記載のウイッグ固定装置。
【発明の詳細な説明】
【技術分野】
【０００１】
本発明は、ウイッグ固定装置に係り、より詳しくは、美容・理容における整髪技術等を習得するために使用されるウイッグを固定するためのウイッグ固定装置に関する。
【背景技術】
【０００２】
美容・理容における整髪技術等を習得するために使用されるウイッグの嵌合筒は、一般的に可撓性合成樹脂又は硬質ゴム等を素材として制作されるが、その内径は、ウイッグ製造メーカーにより又は男女別により相異することが多々あり、ウイッグ使用に際しては、その内径に適合すると思われる裁頭円錐形状の挿着具ないし支持具を選択して挿着し、整髪技術等を習得していた。しかし各種ウイッグ毎に挿着具ないし支持具を用意するのは極めて不便かつ不経済であり、またその選択と取付作業は煩瑣で、かつ修習生の諸動作により、ウイッグが支持具より脱出・脱落して破損することもあり、これを防止するために、若干の提案がなされている。
【０００３】
例えば、特開平９−２７６０４３（特許文献１）に開示されているのは、支持体の支持ヘッドは互いに離接可能な半体部と分割体とでなり、半体部および分割体の夫々の下部に相対向させて切欠段部が具備され、半体部の下部に切欠段部から締付ボルトを挿通可能なネジ挿通穴および締付ボルトの先端部に螺合されるナットが具備され、且つ分割体の下部に締付ボルトの基部側が螺合されると共に半体部の割愛部分の底面部に対し分割体の対向する下端面が離間されることを特徴としている。
【０００４】
また、実開平６−１５０７（特許文献２）に開示されているのは、支持体の支持ヘッドは互いに離接可能な一体部と分離体とでなり、係止ピンの一端側が一体部の基部近傍に結合されると共に他端側が分離体の基部近傍に遊合され、且つ分離体に対し係止ピンの装着位置より上位で、先端が一端部に当接した押圧ネジが螺合されてなることを特徴としている。
【０００５】
上述の特許文献１及び特許文献２に開示された従来技術は、いずれも支持体の支持ヘッドは互いに離接可能な半体部（一体部）と分割体（分離体）とでなり、締付ボルト又は押圧ネジの螺入により、支持ヘッドの頂部を拡大して、支持ヘッドと整髪練習用の人形首（ウイッグ）の受凹溝（受凹部）とを緊密に固定できるとしている。
【０００６】
しかしながら、特許文献１及び特許文献２共に、支持ヘッドの半体部（一体部）又は分割体（分離体）の頂部が拡大して受凹溝（受凹部）に押圧しているので、点接触することになり、その緊接力は弱く、そのため修習生等の反復動作等でガタツキが起きたり、特に、毛髪を上方に引き上げる力によってウイッグが支持ヘッドから抜出・脱落するといった不都合も発生している。
【特許文献１】特開平９−２７６０４３号公報
【特許文献２】実開平６−１５０７０号公報
【発明の開示】
【発明が解決しようとする課題】
【０００７】
本発明は、上記の特許文献１及び特許文献２を含む、従来技術の問題点に鑑み、鋭意研究した結果、完成されたもので、その課題は、ウイッグ製造メーカーによって相異する嵌合筒の内径寸法に適合することが可能（寸法適合性・寸法汎用性がある）で、毛髪を上方に引き上げる力等によってウイッグに上向きの力が加わることによって、ウィッグが支持ヘッドから抜出・脱落する不都合を防止することが可能で、ウイッグ製造メーカーによって相異する嵌合筒の内径寸法に起因してウイッグのガタツキを防止することが可能なウイッグ固定装置を提供することにある。
なお、ウイッグ製造メーカーによって相異する嵌合筒の内径寸法とは、例えば、図５において、ｄ１、ｄ２を表す。図５の（イ）は、嵌合筒の内径寸法ｄ１が大きいため挿着支持部１１を嵌合筒の奥まで挿入することができるのに対して、図５の（ロ）は、嵌合筒の内径寸法ｄ２が小さいため挿着支持部１１を嵌合筒の奥まで挿入することができず、嵌合筒の奥に空間ができ、嵌合筒の入口部でウィッグ嵌合筒の内径面と挿着支持部１１とを嵌合すること（充分な接触面積をとることができない）になるので、ウイッグのガタツキ等の原因になる。
【課題を解決するための手段】
【０００８】
上記の課題を解決するための請求項１に記載の第１発明は、美容・理容における整髪技術等を習得するために使用されるウイッグを固定するための固定装置であって、裁頭円錐形状の挿着支持部と、ボルト螺合部と、該ボルト螺合部の下方に延設された頸部とからなる、取付杆と、前記取付杆のボルト螺合部に螺着される回動ボルトと、前記挿着支持部内に水平状に螺着される掛支ボルトと、当該掛支ボルトを介して軸支される側面視略Ｌ字状フックと、（前記取付杆の頸部下端に螺着される球状体と、前記球状体の上周面一部を残して被覆する支承ケーシングと、）からなることを特徴としている。
【０００９】
請求項２に記載の第２の発明は、請求項１に記載の第１発明にあって、前記取付杆には、挿着支持部の頂部からボルト螺合部にかけて横断面視コ字状縦溝を形成していることを特徴としている。
【００１０】
請求項３に記載の第３の発明は、請求項１記載〜請求項２に記載の発明にあって、前記取付杆のボルト螺合部は、半球状であることを特徴としている。
【００１１】
請求項４に記載の第４の発明は、請求項１記載〜請求項３の何れかに記載の発明にあって、前記取付杆のボルト螺合部には、雌ねじが下方から上方に傾斜して螺設されていることを特徴としている。
【００１２】
請求項５に記載の第５の発明は、請求項１記載〜請求項４の何れかに記載の発明にあって、前記ボルト螺合部における雌ねじの傾斜角度が、水平面に対して、約２５°〜３５°であることを特徴としている。
【００１３】
請求項６に記載の第６の発明は、請求項１記載〜請求項５の何れかに記載の発明にあって、前記回動ボルトの先端部には環状細径部が形成されると共に、後端部にはボルトの軸径より大とした握持部が形成されていることを特徴としている。
【００１４】
請求項７に記載の第７の発明は、請求項１記載〜請求項６の何れかに記載の発明にあって、前記Ｌ字状フックの上端部には尖鋭部を形成し、前記掛支ボルト装着部位から下端部両側はテーパー状とされていることを特徴としている。
【００１５】
請求項８に記載の第８の発明は、請求項１記載〜請求項７の何れかに記載の発明にあって、前記Ｌ字状フック上端の尖鋭部が嘴状であることを特徴としている。
【発明の効果】
【００１６】
本発明に係る、ウイッグ固定装置は以下の効果を奏する。即ち請求項１に記載の第１の発明によれば、取付杆は、挿着支持部、ボルト螺合部及び頸部からなり、ボルト螺合部には回動ボルトが螺着され、頸部下端には球状体が螺着され、側面視略Ｌ字状フックは、挿着支持部内に水平状に螺着される掛支ボルトを介して軸支されているという特徴的な構成により、本発明の課題を達成して、以下のような効果を奏した。
（１）ウイッグ製造メーカーによって相異する嵌合筒の内径寸法に適合することが可能（寸法適合性・寸法汎用性がある）なウイッグ固定装置を提供することができた。
図５の（イ）は、嵌合筒の内径寸法ｄ１が大きいため挿着支持部１１を嵌合筒の奥まで挿入することができるのに対して、図５の（ロ）は、嵌合筒の内径寸法ｄ２が小さいため挿着支持部１１を嵌合筒の奥まで挿入することができず、嵌合筒の奥に空間ができ、嵌合筒の入口部でウィッグ嵌合筒の内径面と挿着支持部１１とを嵌合すること（充分な接触面積をとることができない）になるので、ウイッグのガタツキ等の原因になる。なお、ウイッグ製造メーカーによって相異する嵌合筒の内径寸法とは、例えば、図５において、ｄ１、ｄ２を表す。
しかし、本発明の構成によれば、挿着支持部１１をウィッグ嵌合筒の内径面に接触させる支持構造によって、当該接触位置は、嵌合筒の内径寸法ｄ１、ｄ２が変わっても不変で（図５の（イ）、（ロ）を参照）、安定して、本ウイッグ固定装置によって、ウイッグをガタツキを防止して、かつ安定して、強固に支持することができるので、ウイッグ製造メーカーによって相異する嵌合筒の内径寸法に適合することが可能（寸法適合性・寸法汎用性がある）なウイッグ固定装置を提供することができた。
（２）、毛髪を上方に引き上げる力等によってウイッグに上向きの力が加わることによって、ウィッグが支持ヘッドから抜出・脱落する不都合を防止することが可能なウイッグ固定装置を提供することができた。
本発明によれば、Ｌ字状フックが可撓性合成樹脂又は硬質ゴム等からなるウイッグ嵌合筒の内部へ鋭く、食込んで固着されるので、整髪技術の習得における修習生が、毛髪を上方に引き上げる力等によってウイッグに上向きの力が加わった場合でも、食込んだＬ字状フックことによって、ウイッグの抜出・脱落等の不都合を確実に防止できる。
（３）ウイッグ製造メーカーによって相異する嵌合筒の内径寸法に起因してウイッグのガタツキを防止することが可能なウイッグ固定装置を提供することができた。
図５の（イ）は、嵌合筒の内径寸法ｄ１が大きいため挿着支持部１１を嵌合筒の奥まで挿入することができるのに対して、図５の（ロ）は、嵌合筒の内径寸法ｄ２が小さいため挿着支持部１１を嵌合筒の奥まで挿入することができず、嵌合筒の奥に空間ができ、嵌合筒の入口部でウィッグ嵌合筒の内径面と挿着支持部１１とを嵌合すること（充分な接触面積をとることができない）になるので、ウイッグのガタツキ等の原因になる。なお、ウイッグ製造メーカーによって相異する嵌合筒の内径寸法とは、例えば、図５において、ｄ１、ｄ２を表す。
しかし、本発明の構成によれば、挿着支持部１１がウィッグ嵌合筒の内径面に食込む位置は、嵌合筒の内径寸法ｄ１、ｄ２が変わっても不変で（図５の（イ）、（ロ）を参照）、安定して、本ウイッグ固定装置によって、ウイッグをガタツキを防止して、かつ安定して、強固に支持することができる。
本発明の特徴的構成は、前記取付杆のボルト螺合部に螺着される回動ボルトと、前記挿着支持部内に水平状に螺着される掛支ボルトと、当該掛支ボルトを介して軸支される側面視略Ｌ字状フックである。
上記構成では、梃子の原理により、側面視略Ｌ字状フックの下端部に回動ボルトにより力を加えて、Ｌ字状フックの先端部をウイッグ嵌合筒の内径面に接触させて（食込ませて）、ウイッグを支持するものであるが、従来の発想では、当業者が本発明に想到することは容易ではなかった。
すなわち、Ｌ字状フックの構成は、ウイッグ支持力を伝達するのには、本発明者は、ウイッグに作用する力は人間に作用する力であり、極力弱い力を掛けるようにしているので、予想される程の大きなウイッグ支持力は必要でなく、ウイッグ製造メーカーによって相異する嵌合筒の内径寸法に適合することが可能（寸法適合性・寸法汎用性がある）であれば（接触点又は接触面が位置的に確実に取れれば、接触面圧は小さくても、確実にウイッグを支持することが可能である。）、梃子の原理における腕の長さの原則に反したとしても、ウイッグを必要充分に支持すウイッグ固定装置を提供することができることに発明者は気づいた。
ウイッグ支持を強固にするためには、ウイッグに大きな力を伝える必要があると着想するのが通常であり、本願発明のように、Ｌ字状フックが小さくて成華奢な構成であり、また、一般には、Ｌ字状フック貫通孔からＬ字状フック上部までの距離が、Ｌ字状フック貫通孔からＬ字状フックまでの距離より大きいので、ウイッグ支持を強固にするために、ウイッグに大きな力を伝えることができないので、本発明は採用し難く、本発明想到のための阻害要因となっていたということができよう。
【００１７】
課題を解決するための第２の発明によれば、取付杆には、挿着支持部の頂部からボルト螺合部にかけて横断面視コ字状縦溝が形成されているので、挿着支持部内に掛支ボルトを介して軸支されるＬ字状フックの取付作業が、簡便かつ容易に遂行される。
【００１８】
課題を解決するための第３の発明によれば、取付杆のボルト螺合部は、半球状であるから、螺合部容積を大きくすることでき、回動ボルトの外径を大とすることができ、操作性を良くすると共に安定した螺合ができる。
【００１９】
課題を解決するための第４の発明及び第５の発明によれば、前記取付杆のボルト螺合部には、雌ねじが下方から上方に傾斜して螺設され、その傾斜角度は水平面に対して、約２５°〜３５°であるから、Ｌ字状フックのウイッグ嵌合筒への固着、解放作業が円滑にできる。
【００２０】
課題を解決するための第６の発明によれば、回動ボルトの先端部には環状細径部が形成されると共に、後端部にはボルトの軸径より大とした握持部が形成されているので、環状細径部周面にＬ字状フックのテーパー状下端部が摺接するように当接し、握持部の回動による回動ボルトの傾斜動によって、Ｌ字状フックのウイッグ嵌合筒への固着、解放作業が円滑にできる。
【００２１】
課題を解決するための第７及び第８の発明によれば、Ｌ字状フックの上端部には尖鋭部を形成し、掛支ボルト装着部位から下端部はテーパー状とされ、またフック上端の尖鋭部は嘴状であるから、尖鋭部が可撓性合成樹脂又は硬質ゴム等からなるウイッグ嵌合筒の内部へ鋭く、食込んで固着されるので、整髪技術の習得における修習生のあらゆる動作にもウイッグのガタツキや脱出・脱落等を確実に防止できる。
【発明を実施するための最良の形態】
【００２２】
以下、本発明に係る、ウイッグ固定装置の好適な実施形態を図面に基づいて説明する。図１は、本発明に係る、ウイッグ固定装置における構成部材を分離して示す分解斜視図、図２は、同構成部材を組み立てた状態の縦断面図、図３は、ボルト螺合部の拡大断面図、図４は、図２における４−４線拡大断面図、図５（イ）、（ロ）は、Ｌ字状フックをウイッグ嵌合筒に固着した状態を示す拡大断面図である。
【００２３】
図１ないし図２に示すように、本発明に係る、ウイッグ固定装置１は、取付杆１０、回動ボルト２０、球状体３０、Ｌ字状フック４０、掛支ボルト５０及び支承ケーシング６０を主な構成部材としている。
【００２４】
取付杆１０は、裁頭円錐形状の挿着支持部１１、略半球状のボルト螺合部１２及び頸部１３からなっている。挿着支持部１１には、横断面視コ字状の縦溝１４が挿着支持部１１の頂部１１ａからボルト螺合部１２との交差部１２ａに達するように設けられ、これにより交差部１２ａは開口部が形成されている（図３参照）。また縦溝１４を直角に横断するように、一方の周壁１１ｂから他方の周壁１１ｃに向けて貫通孔１１ｄと雌ねじ部１１ｅが穿設、螺設されている。ボルト螺合部１２には、図１〜図３に示すように、下方から雌ねじ１２ｂが螺設され、その傾斜角度θは、約２５°〜３５°とされ、好ましいのは約３０°である。挿着支持部１１の頸部１３の略下半分には雄ねじ１３ａが螺設されていると共に、水平状の貫通孔１３ｂが穿設されている。該頸部１３の雄ねじ１３ａは、球状体３０の雌ねじ部３０ａに螺着され、球状体３０の挿通孔３０ｂと貫通孔１３ｂにはローレットピン３１が挿着され、回動自在とされている。
【００２５】
回動ボルト２０の先端部には、環状細径部２０ａが形成されると共に後端部にはボルトの軸径より大とした握持部２０ｂが形成されている。なお環状細径部２０ａの最先端部２０ｃは、少なくとも、ボルト螺合部１２の雌ねじ１２ｂの内径よりも小とされている。握持部２０ｂに装着されている周回リング２０ｄは、握持部２０ｂを回動する際の滑り止めである。
【００２６】
Ｌ字状フック４０は、図示するように英文字Ｌを倒立させたような形状で、その上端部には嘴状の尖鋭部４０ａが形成され、その下方には掛支ボルト５０を挿通するための水平状貫通孔４０ｂが穿設されている。また貫通孔４０ｂから下方に向けての両側部４０ｃ、４０ｄ及び下端部４０ｅは、いずれもテーパー状に形成されている。
【００２７】
掛支ボルト５０は、図１及び図４に示すように、先端部に雄ねじ５０ａが螺設され、挿着支持部１１の縦溝１４を横断し、Ｌ字状フック４０を回動自在に掛支するものである。
【００２８】
支承ケーシング６０は、取付杆１０の頸部１３に螺合された球状体３０の上周面３０ｂの一部を残して被覆するように、上周縁６０ａが窄むように形成され、球状体３０に挿通された、ローレットピン３１を介して取付杆１０の頸部１３がその角度を変位自在に回動するように支承する。また支承ケーシング６０の下端周壁には支柱Ｓを取り付けるための雌ねじ６０ｂが螺設され、取付ボルト６１により、支柱Ｓに固着される。なお６０ｃは、球状体３０の挿通孔３０ｃと貫通孔１３ｂにローレットピン３１を挿着するための切欠部である。
【００２９】
次に、本考案に係るウイッグ固定装置１を構成する、各部材の組立手順について説明する。先ず、Ｌ字状フック４０を挿着支持部１１の縦溝１４内に挿入した後、該Ｌ字状フック４０の貫通孔４０ｂに掛支ボルト５０の先端部（雄ねじ５０ａ）を挿通し、これをドライバー（図示しない）等で挿着支持部１１の雌ねじ部１１ｅに螺着すれば、Ｌ字状フック４０は、図４に示すように、縦溝１４の下方部位で掛支ボルト５０に掛支される。
【００３０】
次に、回動ボルト２０の握持部２０ｂを把持し、その最先端部２０ｃを挿着支持部１１のボルト螺合部１２の雌ねじ１２ｂ内に挿入した後、握持部２０ｂを連続して右回転すれば、回動ボルト２０はボルト螺合部１２の雌ねじ１２ｂ内ｂ内を斜め上方に向かって徐々に進入し、最先端部２０ｃは、Ｌ字状フック４０の下端部４０ｅに摺接しながら環状細径部２０ａに接合する。
【００３１】
続いて、球状体３０を支承ケーシング６０の下方開口部６０ｄから上周縁６０ａに向けて押し上げた後、挿着支持部１１の頸部１３の雄ねじ１３ａを球状体３０の雌ねじ部３０ａに螺合し、球状体３０の挿通孔３０ｃと挿着支持部１１の頸部１３の貫通孔１３ｂを接合させ、両挿通孔３０ｃと貫通孔１３ｂ内に、支承ケーシング６０の切欠部６０ｃからローレットピン３１を挿着して、各部材の組立作業は終了する。なお引き続き、図１及び図２に示すように、取付杆１０、回動ボルト２０、球状体３０、Ｌ字状フック４０及び掛支ボルト５０等の部材が一体化されたウイッグ固定装置は、支承ケーシング６０に保持された状態で取付ボルト６１により、支柱パイプＳ等に固着される。
【００３２】
図２及び図５（イ）、（ロ）を参照して本発明に係る、ウイッグ固定装置１の使用態様について説明する。図２に示すように、ウイッグ固定装置の不使用時は、Ｌ字状フック４０は、挿着支持部１１の縦溝１４内に略垂直状態に立設している。ウイッグ固定装置を使用する時は、回動ボルト２０を右回転させると、環状細径部２０ａが斜め上方に移動する（矢印Ｐ）に伴い、Ｌ字状フック４０の下端部４０ｅを押し上げるので、Ｌ字状フック４０は、掛支ボルト５０を支点として傾動し、図２における二点鎖線で示すように、フック４０上端の尖鋭部４０ａは、縦溝１４の外方に突出（Ｐ１）する。
【００３３】
図５（イ）は、ウイッグＷの嵌合筒内径ｄ１と挿着支持部１１の外径が略等しい時におけるＬ字状フック４０の固着状態を示し、図５（ロ）は、ウイッグＷの嵌合筒内径ｄ２が挿着支持部１１の外径が小である時の固着状態を示している。図５（イ）、（ロ）の両図で明らかなように、ウイッグＷの嵌合筒内径寸法が多少相異していても、Ｌ字状フック４０の尖鋭部４０ａは、ウイッグＷの嵌合筒内部にくい込む状態で固着され、美容・理容の習得技術の訓練等における修習生の各種動作で、ウイッグＷが取付杆１０から抜出・脱落等の不測事態（不都合）が起きることを防止することができる。
【００３４】
取付杆１０をウイッグＷから解放するには、図２及び図５（イ）、（ロ）に示す回動ボルト２０を左回転させると、環状細径部２０ａが斜め下方に移動する（矢印Ｒ）に伴い、Ｌ字状フック４０の下端部４０ｅを引き下げるので、Ｌ字状フック４０は、掛支ボルト５０を支点として右側に傾動し、図２における実線で示すように、挿着支持部１１の縦溝１４内に略垂直に立設した状態に保持される。
【図面の簡単な説明】
【００３５】
【図１】は、本発明に係る、ウイッグ固定装置における構成部材を分離して示す分解斜視図である。
【図２】は、同構成部材を組み立てた状態の縦断面図である。
【図３】は、ボルト螺合部の拡大断面図である。
【図４】は、図２における４−４線拡大断面図である。
【図５】（イ）、（ロ）は、Ｌ字状フックをウイッグ嵌合筒に固着した状態を示す拡大断面図である。
【符号の説明】
【００３６】
Ｗ                  ウイッグ
１                  ウイッグ固定装置
１０                取付杆
２０                回動ボルト
３０                球状体
４０                Ｌ字状フック
５０                掛支ボルト
６０                支承ケーシング
１１                挿着支持部
１１ａ              頂部
１１ｄ              貫通孔
１１ｅ              雌ねじ
１２                ボルト螺合部
１２ａ              交差部
１２ｂ              雌ねじ
１３                頸部
１３ａ              雌ねじ
１３ｂ              貫通孔
１４                縦溝
２０ａ              環状細径部
２０ｂ              握持部
２０ｃ              最先端部
３０ａ              雌ねじ
３０ｃ              挿通孔
４０ａ              尖鋭部
４０ｂ              貫通孔
４０ｃ、４０ｄ      テーパー
４０ｅ              下端部
θ                  傾斜角度
【図１】
2007244547.tif 000003
【図２】
2007244547.tif 000004
【図３】
2007244547.tif 000005
【図４】
2007244547.tif 000006
【図５】
2007244547.tif 000007